【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
使用パッケージが駆動及び張力制御アセンブリにより巻き出される間に、少なくとも１つの新しい交換パッケージをクリールのマンドレルに位置決めし装着する方法であって、
新しい交換パッケージを、使用パッケージおよび交換パッケージの少なくとも一方に隣接するマンドレルにスライドさせる工程と、
前記新しい交換パッケージの繊維の先端を、使用パッケージおよび交換パッケージの少なくとも一方の繊維の末端に結ぶ工程と、
マンドレルコアホルダおよびパッケージ交換具のエンドピボットスタッドを、それぞれ、前記マンドレルおよびクリールフレームに挿入する工程と、
パッケージサポートアセンブリを解放して、前記パッケージサポートアセンブリを前記マンドレルから離すように旋回させる工程と、
マンドレルサポートバーの端部がマンドレルサポートボルトを解放するまで、前記パッケージ交換具、前記マンドレル、前記マンドレルサポートバーおよびパッケージを少なくとも１０°上方に旋回させる工程と、
前記マンドレルサポートバーを、前記クリールフレームおよび前記マンドレルのスロットから離れるように旋回させる工程と、
前記パッケージ交換具が、前記クリールフレームと接触し、前記クリールフレームと位置合わせされるまで、前記パッケージ交換具、マンドレルおよびパッケージを旋回させる工程と、
少なくとも、前記新しい交換パッケージが、前記使用パッケージおよび交換パッケージの少なくとも一方と接触するまで、前記交換パッケージを前記マンドレルにスライドさせ、そして、古い使用パッケージの使用済みコアを前記マンドレルの端部からイジェクトするために前記新しい交換パッケージをさらにスライドさせる工程と、
前記マンドレルサポートバーボルトが位置合わせされ、そして、前記マンドレルサポートバーボルトが前記クリールフレームに挿入されるまで、前記マンドレルおよび前記クリールフレームの前記スロットに戻すように前記マンドレルサポートバーを旋回させる工程と、
前記ピボットスタッドおよび前記マンドレルコアホルダが、それぞれ、前記クリールフレームおよびマンドレルから解放されるまで、外側に引っ張ることにより、前記パッケージ交換具を取り外す工程と
を備えることを特徴とする方法。
【請求項２】
使用パッケージが駆動及び張力制御アセンブリにより巻き出される間に、少なくとも１つの新しい交換パッケージをクリールのマンドレルに位置決めし装着する方法であって、
前記新しい交換パッケージを、交換パッケージおよび使用パッケージの少なくとも一方に隣接するマンドレルにスライドさせる工程と、
使用パッケージおよび交換パッケージの少なくとも一方の繊維の末端を、前記新しい交換パッケージの繊維の先端に結ぶ工程と、
前記マンドレルをサポートするために、パッケージ交換具をクリールフレームに取り付ける工程と、
前記パッケージ交換具のマンドレルコアホルダを前記マンドレルに挿入し、前記パッケージおよびマンドレルを支持するために、前記マンドレルコアホルダを定位置にロックする工程と、
パッケージサポートアセンブリを前記マンドレルから解放し、前記パッケージサポートアセンブリを前記マンドレルから離すように旋回させる工程と、
前記使用パッケージ及び交換パッケージの少なくとも１つが接触するまで、前記マンドレルに沿って前記新しい交換パッケージをスライドさせ、そして、使用済みコアがイジェクトされるまで、前記新しい交換パッケージをさらにスライドさせる工程と、
前記マンドレルを支持して固定するために、前記マンドレルサポートバーを前記マンドレルへ再接続する工程と、
前記パッケージ交換具の前記マンドレルコアホルダを前記マンドレルからアンロックする工程と、
前記パッケージ交換具を前記マンドレルおよびクリールフレームから取り外す工程と
を備えることを特徴とする方法。
【請求項３】
請求項１または請求項２の方法に従って、使用パッケージのエラストマー糸を巻き出すための装置であって、
クリールフレームと、
複数のマンドレルと、
複数の使用パッケージと、
少なくとも１つの新しい交換パッケージと、
複数の駆動および張力制御アセンブリと、
パッケージサポートアセンブリと、
パッケージ交換具と、
電子キャビネットと
を含み、
前記複数の使用パッケージおよび前記少なくとも１つの新しい交換パッケージのうち少なくとも１つが、前記複数のマンドレルの少なくとも１つにおいてインラインに構成され、前記少なくとも１つの新しい交換パッケージが、前記複数のパッケージの１つが巻き出される前記複数のマンドレルの１つに位置決めされて装着されることを特徴とする装置。
【請求項４】
請求項３に記載の駆動ロールおよび張力制御アセンブリの動作により巻き出されるエラストマー糸の張力を制御する方法であって、
エラストマー糸が移動しているかを判断する工程と、
移動している前記エラストマー糸の糸張力を測定する工程と、
前記移動している糸が、所定の張力値に対して範囲外の張力を有しているかを判断する工程と、
前記張力が範囲外のときに、水平駆動テイクオフロールの速度の増加または低減の少なくとも一方を実行する工程と、
前記糸を所望の位置に供給する工程と、
を備えることを特徴とする方法。
【請求項５】
前記移動している糸の平均張力が、前記糸についての前記所定の張力値に対して範囲外であるかを判断する工程をさらに備えることを特徴とする請求項４に記載の方法。
【請求項６】
前記張力が、前記糸についての前記所定の張力値に対して範囲外のときは、前記水平駆動テイクオフロールの前記平均糸速度の増加及び低減の少なくとも１つを行う工程をさらに備えることを特徴とする請求項４に記載の方法。
【請求項７】
前記糸張力が、破断している、移動していない、糸の範囲外の張力レベル、および、補正閾値張力レベルより高いレベルの少なくとも１つを示すレベルであるときは、アラームをセットする工程をさらに備えることを特徴とする請求項４に記載の方法。
【手続補正２】
【補正対象書類名】明細書
【補正対象項目名】０００７
【補正方法】変更
【補正の内容】
【０００７】
多数のパッケージを用いるクリールでのさらなる問題は、クリールに提供されサポートされ得るヤーンパッケージのサイズに関係する。すなわち、パッケージが占める重量と空間等の実用性のために、ヤーンの量が限定される。例えば、典型的なヤーンパッケージを利用して、おむつ製造機等の高速製造プロセスに大量のヤーンが提供される。しかしながら、多数のこのサイズのパッケージでは、従来技術のクリール構造で用いると、貴重な製造床面積の多くが占有されてしまう。
【手続補正３】
【補正対象書類名】明細書
【補正対象項目名】００１０
【補正方法】変更
【補正の内容】
【００１０】
さらに、繊維業界で用いられる糸や繊維とは異なる独特の固有の仕上げテクスチャーを有するスパンデックス（Ｓｐａｎｄｅｘ）等の弾性糸または繊維を用いる製造プロセスには、電気モータ供給装置が必要とされる。これは、スパンデックスを、モータに取り付けられた駆動供給ロールと接触したままにすることができるものである。さらに、スパンデックスは、繊維業界で用いられる繊維とは異なる高い引張り強さ規格およびその他特徴を有している。例えば、繊維業界で典型的に用いられる糸または繊維は、５０〜１００デシテックス（１キロメートル当たりのデシグラム）の範囲に定められており、典型的に６００〜１５００デシテックスの範囲に定められている弾性糸の速い回転速度に比べ、パッケージから巻き出されるときに、遅い回転速度で操作される傾向がある。さらに、米国特許公報（特許文献９）は、スパンデックス等の高タック弾性糸を必要とするシステムで操作したり、それに供給したりすることに係るものではない。
【手続補正４】
【補正対象書類名】明細書
【補正対象項目名】００２５
【補正方法】変更
【補正の内容】
【００２５】
図３は、図２の円形領域１７の拡大部分斜視図である。特に、図３は、マンドレル７が、どのようにしてクリールにサポートされ、マンドレルサポートアセンブリ４の可動上部クランプ１０の位置の可変の調節により定位置に保持されるかを示している。マンドレルサポートアセンブリ４は、マンドレルサポートバー２２、可動上部クランプ１０、サムスクリュー１１およびラッチ１２をさらに含む。マンドレルサポートバー２２は、マンドレル７をサポートするように構成されている。可動上部クランプ１０は、マンドレル７をマンドレルサポートバー２２の定位置に保持するように構成されていて、上部クランプ１０が動くようにスロットがある。サムスクリュー１１は、締めると、可動上部クランプ１０を所望の位置に固定するように構成されている。ラッチ１２は、サポートアセンブリ４を定位置に保持するように構成されている。
【手続補正５】
【補正対象書類名】明細書
【補正対象項目名】００３５
【補正方法】変更
【補正の内容】
【００３５】
さらに、図１０に示すとおり、マンドレル７は、マンドレル７の管の長手方向軸に垂直に配置されたスロットを有していて、マンドレル７が、マンドレルサポートアセンブリ４のマンドレルサポートバー２２に装着されると、パッケージ５、６を定位置に保持することができる。その上、図９および１０に示すとおり、マンドレルサポートアセンブリ４は、マンドレルサポートバー２２、マンドレルサポートバーボルト２３、ピボットスタッド２６をさらに含む。さらに、パッケージ交換具２１は、マンドレルコアホルダ２４、ハンドル２８、カム３８およびコントロールハンドル３０をさらに含む。
【手続補正６】
【補正対象書類名】明細書
【補正対象項目名】００３８
【補正方法】変更
【補正の内容】
【００３８】
本発明の両実施形態のコンパクトなクリールシステム１を操作する例示の方法は、ａ）使用パッケージ５および交換パッケージ６を、それぞれのマンドレル７に配置する工程と、ｂ）各交換パッケージ６の繊維の先端を、同じマンドレル７に位置する対応の使用パッケージ５の繊維の末端に結ぶ工程と、ｃ）各使用パッケージ５の繊維の先端を、各マンドレル７に対応する駆動アセンブリ１３の各スタティックガイドおよびプリテンショニングガイドロール２９に通し、次に、繊維の張力を所定の張力範囲内に制御するように構成された駆動および張力制御アセンブリ１３の駆動ロール２５周囲の２７０°以下のラップを通して指向させ、巻き取り装置（すなわち、図１には図示されていないが、典型的には、巻き出し機を出る際に最初に繊維と係合する製造プロセスの要素である駆動ロールまたは１組の駆動ロール）により繊維を係合させる工程と、ｄ）使用パッケージ５を巻き出す速度を制御して、所望の繊維の伸び（すなわち、延伸）を得る工程と、ｅ）使用済みになる前に、各使用パッケージ５を、新しい使用パッケージ５となる交換パッケージ６と交換する工程とを含む。
【手続補正７】
【補正対象書類名】明細書
【補正対象項目名】００４２
【補正方法】変更
【補正の内容】
【００４２】
また、図１７、図１８および図１９に示すとおり、パッケージ交換具２１は、マンドレルサポートバー２２、マンドレルコアホルダ２４、ピボットスタッド２４Ａ、マンドレルサポートボルト２６およびコントロールハンドル３０をさらに含む。マンドレルサポートボルト２６は、パッケージ交換具２１の左下を通って、クリールフレーム３に取り付けられている。パッケージ交換アセンブリの本実施形態により、使用パッケージを巻き出しながら、マンドレル７の少なくとも１つの交換パッケージ６を配置および装着する例示の方法については、後述してあり、図３０のフロー図に示されている。
【手続補正８】
【補正対象書類名】明細書
【補正対象項目名】００４４
【補正方法】変更
【補正の内容】
【００４４】
また、図２０、図２１および図２２に示すとおり、パッケージ交換具２１は、マンドレルコアホルダ２４、ハンドル２８、コントロールハンドル３０、カラー３２およびカム３８をさらに含む。パッケージ交換アセンブリの本実施形態により、使用パッケージを巻き出しながら、マンドレルの少なくとも１つの交換パッケージを配置および装着する例示の方法については、後述してあり、図３１のフロー図に示されている。
【手続補正９】
【補正対象書類名】明細書
【補正対象項目名】００４５
【補正方法】変更
【補正の内容】
【００４５】
図２３は、本発明の第２の実施形態のマンドレルサポートアセンブリ４の例示の斜視図である。図２４および図２５は、それぞれ、図２３の正面図および平面図である。また、図２３、図２４および図２５に示すとおり、マンドレルサポートアセンブリ４は、マンドレルサポートバー２２、マンドレルサポートバーボルト２３、マンドレルコアホルダ２４、マンドレルサポートボルト２６およびハンドル３４をさらに含む。マンドレルサポートボルト２６は、マンドレルサポートアセンブリ４の左下を通って、クリールフレーム３に取り付けられている。また、マンドレルサポートボルト２６は、サポートバー２２を定位置に保持するロックピンである。
【手続補正１０】
【補正対象書類名】明細書
【補正対象項目名】００５５
【補正方法】変更
【補正の内容】
【００５５】
図３０に、本発明の第１の実施形態による、使用パッケージを巻き出しながら、少なくとも１つの交換パッケージをクリールのマンドレルに配置および装着する方法の例示のフロー図を示す。図３０の工程３００１において、新しい交換パッケージ６が、使用パッケージ５および交換パッケージ６のうち少なくとも１つに近接するマンドレル７をスライドする。工程３００３において、新しい交換パッケージ６の繊維の先端を、使用パッケージ５の繊維の末端に結ぶ。工程３００５において、パッケージ交換具２１のエンドピボットスタッド２６を、クリールフレーム３に挿入する。工程３００５において、マンドレルコアホルダ２４を、マンドレル７のコアの内側の開口部と並べ、マンドレルコアホルダ２４が、マンドレル７と完全に係合するまで、マンドレル７の内側に押し込む。工程３００７において、マンドレルサポートアセンブリ４およびサポートバー２２が、ピボットスタッド２６を外すことにより外される。工程３００８において、パッケージ交換具２１、マンドレルおよびパッケージを、少なくとも１０°上方に旋回させて、マンドレルピボットスタッド２６を解放する。工程３００９において、マンドレルサポートバー２２は、クリールフレーム３から離すように旋回させる。工程３０１１において、パッケージ交換具２１がクリールフレーム３と接触し、それと位置合わせされるまで、パッケージ交換具２１、マンドレル７およびパッケージ５、６を、旋回させて戻す。工程３０１３において、少なくとも、交換パッケージ６が使用パッケージ５と接触するまで、交換パッケージ６は、マンドレル７をスライドさせ、必要に応じて、使用済みコア８が、マンドレル７の端部から取り出されるまで、交換パッケージ６は、マンドレルをさらにスライドする。工程３０１５において、ピボットスタッド２６が、クリールフレーム３と位置合わせされて挿入されるまで、マンドレルサポートバー２２を、マンドレル７およびクリールフレーム３へ旋回させて戻す。工程３０２１において、パッケージ交換具２１、マンドレル７およびパッケージ５、６を、通常の操作位置まで戻すように旋回させる。工程３０２３において、ピボットスタッド２６およびマンドレルコアホルダ２４が、それぞれ、クリールフレーム３およびマンドレル７から解放されるまで、外側に引っ張ることにより、パッケージ交換具２１を取り外す。
【手続補正１１】
【補正対象書類名】明細書
【補正対象項目名】００５６
【補正方法】変更
【補正の内容】
【００５６】
図３１に、本発明の第２の実施形態による、使用パッケージを巻き出しながら、クリールに装着するために、少なくとも１つの新しい交換パッケージをマンドレルに配置および装着する方法の例示のフロー図を示す。図３１の工程３１０１において、新しい交換パッケージ６は、使用パッケージ５および交換パッケージ６のうち少なくとも１つに近接するマンドレル７をスライドする。工程３１０２において、使用パッケージ５および交換パッケージ６のうち少なくとも１つの繊維の末端を、新しい交換パッケージ６の繊維の先端に結ぶ。工程３１０３において、パッケージ交換具２１をクリールに取り付けて、使用パッケージ５および交換パッケージ６のうち少なくとも１つを保持するマンドレル７をサポートする。工程３１０５において、パッケージ交換具２１のマンドレルコアホルダ２４をマンドレル７に挿入し、マンドレルコアホルダ２４を、定位置にロックして、パッケージ５、６をマンドレル７でサポートする。工程３１０７において、マンドレルサポートアセンブリ４は、マンドレルおよびマンドレルサポートバー２２から外されて、マンドレルから振り離される（すなわち、旋回する）。工程３１０９において、使用パッケージ５および交換パッケージ６のうち少なくとも１つが接触するまで、交換パッケージ６を、マンドレル７に沿ってスライドさせ、必要に応じて、使用済みコア８が、取り出されるまで、新しい交換パッケージ６を、さらにスライドする。工程３１１１において、マンドレルサポートバーを、戻るように旋回させて、マンドレル７をサポートおよび固定する。工程３１１３において、パッケージ交換具２１のマンドレルコアホルダ２４が、マンドレル７からアンロックされ解放され、パッケージ交換具２１が、マンドレル７から取り外される。